(57)【特許請求の範囲】
【請求項１】
矩形状の底板の前後側縁に夫々折目線を介して連設された一対の側板を互いに対向させて起立させ、両側板の左右側縁に折目線を介して連設された各耳片を前記底板の左右側縁に沿って直角に折り曲げ、前記底板の左右側縁に夫々折目線を介して連設された一対の第１側片を互いに対向させて起立させて、前記各耳片の略下半部の外面側に重合させ、一方の側板の先端に折目線を介して連設された天板を水平に折り曲げ、該天板の先端に連設された接着片を他方の側板に重合して接着剤を介して接着し、該天板の左右側縁に折目線を介して連設された一対の第２側片を下方に直角に折り曲げて、前記各耳片の略上半部の外面側と前記第１側片の上縁部の外面側とに重合させ、一方の第２側片の先端から前記天板を経て他方の第２側片の先端に亘って左右方向に直線状に形成された破断線の両側において、両第２側片を前記各耳片の略上半部の外面側に接着剤を介して接着してなり、
前記天板の一方の第２側片との折目線から他方の第２側片との折目線に亘って前記破断線と平行に補助破断線を設け、前記天板と一方の第２側片との折目線において、前記破断線と前記補助破断線との間に切れ目線を形成し、該切れ目線を除く折目線を破断可能とし、前記天板と他方の第２側片との折目線において、前記破断線と前記補助破断線との間を残存部とし、該残存部を除く折目線を破断可能としたことを特徴とする包装箱。
【請求項２】
前記第１側片の上縁の略中央部に突出する突片を設け、前記第２側片を下方に直角に折り曲げた際に、該突片を該第２側片と前記耳片との間に挟み込んで該第２側片を前記耳片に接着してなることを特徴とする請求項１に記載の包装箱。
【発明の詳細な説明】
【０００１】
【発明の属する技術の分野】
本発明は、破断線に沿って破断するだけで開梱することができる包装箱に関する。
【０００２】
【従来の技術】
従来、この種の包装箱としては、実公平７−３９７８５号公報に見られるものが知られている。該包装箱４０は、図８（ａ）に示すように、段ボール板紙を折り曲げることによって形成されたものであり、前後側には底板４１を介して起立する一対の側板４２，４３が設けられ、上側には底板４１に対向する天板４４が設けられている。該包装箱４０の左右側には、側板４１，４２の両側縁に連設された耳片４５，４６，４７，４８と、底板４１の両側縁に連設された第１側片４９，５０と、天板４４の両側縁に連設された第２側片５１，５２とによって側壁が形成されている。第１側片４９，５０は略三角形状に形成されており、耳片４５，４６，４７，４８は該第１側片４９，５０の上縁形状に対応するように、下方側が傾斜して切り欠かれている。また、前記天板４４及び第２側片５１，５２にかけて連続して平行に延びる一対の破断線５３，５４が形成されている。
【０００３】
そして、図８（ｂ）に組立工程の一部を示すように、第１側片４９，５０と耳片４５，４６，４７，４８との端縁同士を当接して同一平面を構成し、第２側片５１，５２の破断線５３，５４間と第１側片４９，５０の上端部とに接着剤Ｗを塗布して互いに接着されている。これにより、第２側片５１，５２と耳片４５，４６，４７，４８とを接着することなく左右側の側壁を形成することができる。更に、破断線５３，５４間と第１側片４９，５０の上端部とが接着されていることから、図９（ａ）に示すように、破断線５３，５４に沿って破断して帯状の破断片５５が切除されると、図９（ｂ）に示すように、第１側片４９，５０の起立状態が解除され、開梱と同時に展開されて廃棄処理を容易とすることができる。
【０００４】
しかし、該包装箱４０においては、左右の側壁を形成するための接着部分が、破断線５３，５４の間と第１側片４９，５０の上端部とであるため接着剤Ｗの塗布面積が比較的小さい。このため、接着剤Ｗによる接着力を十分に得ることができずに不用意に剥離するおそれがあり、梱包状態を維持することが困難となる不都合がある。
【０００５】
【発明が解決しようとする課題】
かかる不都合を解消して、本発明は、開梱容易とすると共に廃棄処理の際の展開作業を容易として、しかも梱包状態を強固に維持することができる包装箱を提供することを目的とする。
【０００６】
【課題を解決するための手段】
かかる目的を達成するために、本発明の包装箱１ａは、矩形状の底板３の前後側縁に夫々折目線４，６を介して連設された一対の側板５，７を互いに対向させて起立させ、両側板５，７の左右側縁に折目線１４，１５，１６，１７を介して連設された各耳片１８，１９，２０，２１を前記底板３の左右側縁に沿って直角に折り曲げ、前記底板３の左右側縁に夫々折目線１０，１１を介して連設された一対の第１側片１２，１３を互いに対向させて起立させて、前記各耳片１８，１９，２０，２１の略下半部の外面側に重合させ、一方の側板７の先端に折目線８を介して連設された天板９を水平に折り曲げ、該天板９の先端に連設された接着片２８を他方の側板５に重合して接着剤を介して接着し、該天板９の左右側縁に折目線２４，２５を介して連設された一対の第２側片２６，２７を下方に直角に折り曲げて、前記各耳片１８，１９，２０，２１の略上半部の外面側と前記第１側片１２，１３の上縁部の外面側とに重合させ、一方の第２側片２６の先端から前記天板９を経て他方の第２側片２７の先端に亘って左右方向に直線状に形成された破断線３０の両側において、両第２側片２６，２７を前記各耳片１８，１９，２０，２１の略上半部の外面側に接着剤Ｗを介して接着してなり、前記天板９の一方の第２側片２６との折目線２４ａから他方の第２側片２７との折目線２５ａに亘って前記破断線３０と平行に補助破断線３０ｂを設け、前記天板９と一方の第２側片２６との折目線２４ａにおいて、前記破断線３０と前記補助破断線３０ｂとの間に切れ目線３２ａを形成し、該切れ目線３２ａを除く折目線２４ａを破断可能とし、前記天板９と他方の第２側片２７との折目線２５ａにおいて、前記破断線３０と前記補助破断線３０ｂとの間は残存部３２ｂとし、該残存部３２ｂを除く折目線２５ａを破断可能としたことを特徴とする（符号は図５乃至図７参照）。
【０００７】
本発明の包装箱１ａは、前記第２側片２６，２７を前記第１側片１２，１３の上縁部に重合して、該第２側片２６，２７と各耳片１８，１９，２０，２１とを接着するので、前記第１側片１２，１３は、第２側片２６，２７や各耳片１８，１９，２０，２１に接着することなく、該第２側片２６，２７と各耳片１８，１９，２０，２１との間に挟み込まれて起立状態が維持される。更に、前記第２側片２６，２７は各耳片１８，１９，２０，２１の上半部の外側面に接着剤Ｗを介して接着するので、従来に比べて十分に広い接着面積を得ることができ、梱包状態を強固に維持することができる。
【０００８】
また、本発明の包装箱１ａから収納物を取り出す際には、前記破断線３０に沿って天板９及び第２側片２６，２７を破断する。これにより、天板９及び第２側片２６，２７が前後側に分断され、両側板５，７を夫々前後方向に倒すことができる。そして、前記第１側片１２，１３は、第２側片２６，２７や各耳片１８，１９，２０，２１には接着されていないので、両側板５，７が倒されることによって第２側片２６，２７と各耳片１８，１９，２０，２１との間から該第１側片１２，１３の上縁部が抜き出され、該第１側片１２，１３を左右方向に倒すことができる。
【０００９】
このように、前記破断線３０を破断するだけで、一対の側板５，７及び一対の第１側片１２，１３が底板に対して平坦に倒れて開梱され、収納物を容易に取り出すことができる。
【００１０】
更にまた、一対の側板５，７が底板３に対して平坦に倒されたとき、第２側片２６，２７と各耳片１８，１９，２０，２１とが接着されていることにより、各側板５，７の端縁に沿って第２側片２６，２７の半体部分と天板９の半体部分とが起立した状態で残余するが、開梱後に第２側片２６，２７と天板９との境界（折目線２４，２５）に沿って引き裂くことにより、第２側片２６，２７と天板９とが倒れて平板状とすることができるので、そのまま嵩張ることなく廃棄することが可能となる。
【００１２】
また、本発明によれば、前記破断線３０と前記補助破断線３０ａとにより挟まれる部分の端部を摘んで前記第２側片２６，２７及び天板９から引き剥がすことにより前記破断線３０及び前記補助破断線３０ａを容易に破断することができる。
【００１４】
前述したように、本発明の包装箱１ａの開梱作業によって一対の側板５，７が底板３に対して平坦に倒されたときには、各側板５，７の端縁に沿って第２側片２６，２７と天板９とが起立した状態で残余する。このため、本発明においては、第２側片２６，２７と天板９との境界の折目線２４，２５を、例えばミシン目を設けることによって破断可能に形成する。これにより、第２側片２６，２７と天板９との境界の折目線２４，２５を容易に破断することができ、第２側片２６，２７と天板９とを倒して平板状とする作業を容易に行うことができる。
【００１７】
また、以下のように開梱することにより、収納物の一部のみを取り出して、残りの収納物を包装箱１ａ内に保管することもできる。まず、前記切れ目線３２ａに手指等を挿入し、前記破断線３０と前記補助破断線３０ｂとに挟まれた部分を摘んで前記破断線３０及び前記補助破断線３０ｂに沿って天板９を破断する。この破断線３０と補助破断線３０ｂとに挟まれた部分の終端は切れ目線や破断線が入っていない残存部３２ｂであり、補助破断線３０ｂは他方の第２側片２７には設けられていないので、破断線３０も他方の第２側片２７までは破断されない。従って、この破断線３０と補助破断線３０ｂとに挟まれた部分は包装箱１ａから分離されずに残存する。次に、この状態から破断可能に形成されている折目線２４ａ，２５ａを破断して天板９を起立させる。これにより、包装箱１ａに収納されている収納物を上方に取り出すことができる。
【００１８】
また、一方の第２側片２６に設けられている破断線３０を破断して第２側片２６を分離すると、前記第１側片１２は第２側片２６や各耳片１８，２０には接着されていないので、第１側片１２の上縁部を第２側片２６と各耳片１８，２０との間から抜き出すことが容易となる。このように、第１側片１２の上縁部を抜き出すことにより、第１側片１２を底板に対して平坦に倒すことができ、第２側片２６と耳片１８，２０とを水平に開くことができる。従って、天板９が開梱された状態では包装箱１ａの上面と側面とが開放されることになるので、収納物の取り出しが容易となる。
【００１９】
一方、この状態から、第２側片２６と耳片１８，２０とを閉じて第１側片１２の上縁部を第２側片２６と各耳片１８，２０との間に挿入し、天板９を閉じて前記破断線３０と前記補助破断線３０ｂとに挟まれた部分を元に戻すことにより、再度内容物を梱包することができる。また、第２側片２６に設けられている破断線３０を破断する前は、天板９を閉じて前記破断線３０と前記補助破断線３０ｂとに挟まれた部分を元に戻すことにより、再度内容物を梱包することができる。従って、本発明の包装箱１ａは、収納物の一部のみを取り出し、残りの収納物を包装箱１ａ内に収納した状態で保管することができる。
【００２０】
本発明の包装箱１ａを廃棄する場合は、天板９及び第２側片２６と耳片１８，２０とが開放された状態で、他方の第２側片２７に設けられている破断線３０を破断して第２側片２７を分離する。これにより、一対の側板５，７及び一対の第１側片１２，１３が底板に対して平坦に倒れることにより平板状とすることができるので、包装箱１ａをそのまま嵩張ることなく廃棄することが可能となる。また、前記破断線３０と前記補助破断線３０ｂとに挟まれた部分は包装箱１ａから分離しないので、細かい屑の発生を防ぐことができる。
【００２１】
また、本発明の包装箱１ａにおいては、前記第１側片１２，１３の上縁の略中央部に突出する突片２２，２３を設け、前記第２側片２６，２７を下方に直角に折り曲げた際に、該突片２２，２３を該第２側片２６，２７と前記耳片１８，１９，２０，２１との間に挟み込んで該第２側片２６，２７を前記耳片１８，１９，２０，２１に接着してなることを特徴とする（符号は図５乃至図７参照）。
【００２２】
本発明によれば、前記第１側片１２，１３の上縁に突出して設けられた突片２２，２３が、第２側片２６，２７と各耳片１８，１９，２０，２１との間に挟み込まれて支持されるので、第１側片１２，１３は第２側片２６，２７や各耳片１８，１９，２０，２１に接着することなく起立状態が維持される。
【００２３】
そして例えば、包装箱１ａの材料（段ボール板紙等）が比較的厚手であっても、前記突片２２，２３の両側の位置においては、第２側片２６，２７の下端部が撓んで該第２側片２６，２７と前記耳片１８，１９，２０，２１とが密着する面積が大とされ、より広範囲の接着領域を得ることができるので、一層強固な梱包状態とすることができる。
【００２４】
【発明の実施の形態】
本発明の一実施形態を図面に基づいて説明する。図１は本実施形態の包装箱の組み立て状態を示す説明的斜視図、図２は本実施形態の包装箱の展開図、図３は本実施形態の包装箱の組立工程の一部を示す説明図、図４（ａ）及び（ｂ）は本実施形態の包装箱の開梱工程を示す説明図、図５は他の実施形態の包装箱の組み立て状態を示す説明的斜視図、図６は他の実施形態の包装箱の展開図、図７（ａ）及び（ｂ）は他の実施形態の包装箱の開梱工程を示す説明図である。
【００２５】
まず、本実施形態について説明する。本実施形態の包装箱１は、図１に示すように、直方体形状に形成されており、図示しない収納物を収納した状態で密封されている。該包装箱１は、図２に示すように、一枚の段ボール板紙２から形成される。該段ボール板紙２は、底板３と、該底板３の前側縁に折目線４を介して連設された前側板５と、該底板３の後側縁に折目線６を介して連設された後側板７と、該後側板７の底板３に対向する側に折目線８を介して連設された天板９とを備えている。
【００２６】
前記底板３の左右側縁には、折目線１０，１１を介して第１側片１２，１３が連設されており、前記前後側板５，７の夫々の左右側縁には、折目線１４，１５，１６，１７を介して耳片１８，１９，２０，２１が連設されている。また、第１側片１２，１３の夫々の先端部には、突片２２，２３が形成されている。
【００２７】
前記天板９の左右側縁には、折目線２４，２５を介して第２側片２６，２７が連設されており、該天板９の先端縁には、該包装箱１を組み立てたときに前記前側板５に接着する接着片２８が折目線２９を介して連設されている。
【００２８】
更に、前記天板９と両第２側片２６，２７とに連続して、両第２側片２６，２７の各先端縁の略中央部分を結ぶ破断線３０が形成されており、この破断線３０と平行に補助破断線３０ａが形成されている。また、天板９における破断線３０と補助破断線３０ａとに挟まれた部分の長手方向の中央部には破断線３０及び補助破断線３０ａの破断開始片３１を形成する切れ目３２が形成されている。なお、図示しないが、両破断線３０，３０ａの裏面側に、両破断線３０，３０ａの破断方向を確実に案内するための樹脂製テープ等の破断用テープ材を破断方向に沿って設けてもよい。
【００２９】
以上のように形成された図２に示す段ボール板紙２から図１に示す包装箱１を組み立てるとき、先ず、図示しない収納物を展開状態の底板３上に載置する。次いで、前記前後側板５，７を底板３に対して垂直に起立させ、前記天板９を前記底板３の上方に水平に折り曲げる。そして、前記接着片２８を前記前側板５に図示しない接着剤を介して重合して接着する。
【００３０】
続いて、各耳片１８，１９，２０，２１を夫々前後側板５，７に対して直角に内方に折り曲げ、前記第１側片１２，１３を底板３に対して垂直に起立させる。これにより、図３に示すように、各耳片１８，１９，２０，２１の略下半部の外面に第１側片１２，１３が当接される。
【００３１】
その後、両第２側片２６，２７を夫々各耳片１８，１９，２０，２１の略上半部の外面に重合させ、各耳片１８，１９，２０，２１の略上半部に予め塗布された接着剤Ｗを介して第２側片２６，２７が耳片１８，１９，２０，２１に接着され固定される。このとき、図１に示すように、両第２側片２６，２７の下端部と各耳片１８，１９，２０，２１との間に、前記第１側片１２，１３の突片２２，２３が挟み込まれる。これによって、第１側片１２，１３は、耳片１８，１９，２０，２１に接着することなく起立状態が維持され、包装箱１が形成されると同時に収納物を密封した状態とすることができる。更に、第２側片２６，２７は破断線３０及び補助破断線３０ａを介してその両側と耳片１８，１９，２０，２１の略上半部とを接着するようにしたので、比較的広い接着面積を得ることができ、強固な密封状態を維持することができる。
【００３２】
更に、本実施形態においては、図１に示すように、第２側片２６，２７が第１側片１２，１３の突片２２，２３に重合されたとき、該突片２２，２３に沿って第２側片２６，２７が撓み、該突片２２，２３の両側に位置する第２側片２６，２７の下端部をも各耳片１８，１９，２０，２１に密着（重合）させることができる。このときの第２側片２６，２７の突片２２，２３に対応する部分の撓みにより、例えば、前記段ボール板紙２が比較的厚手であっても、第２側片２６，２７と各耳片１８，１９，２０，２１との密着する範囲を大とすることができるので、該突片２２，２３の近傍位置まで接着剤Ｘを塗布して広範囲に亘って第２側片２６，２７と各耳片１８，１９，２０，２１とを接着することができ、高い接着強度を得ることができる。
【００３３】
次に、本実施形態の包装箱１の開梱作業を説明する。先ず、図１を参照すれば、天板９に形成された前記切れ目線３２に手指等を挿入し、それによって形成された破断開始片３１を摘んで破断線３０及び補助破断線３０ａに沿って天板９及び両第２側片２６，２７を破断する。破断線３０及び補助破断線３０ａは互いに平行に延びているので、破断線３０と補助破断線３０ａとに挟まれた天板９及び両第２側片２６，２７の一部は、図４（ａ）に示すように、帯条の破断片３３となって離反される。これにより、天板９が前後側に分断されると共に両第２側片２６，２７が前後側に分断され、図４（ｂ）に示すように、前後側板５，７が外方に倒れる。また、第１側片１２，１３と各耳片１８，１９，２０，２１とは接着されていないので、破断線３０及び補助破断線３０ａが破断されたことによって、前後側板５，７の起立状態が解除されて外方に倒れる。このように、破断線３０及び補助破断線３０ａを破断するだけで開梱作業が終了し、収納物を取り出し自在とすることができる。
【００３４】
そして、図４（ｂ）において仮想線で示すように、第２側片２６，２７と天板９との境界の折目線２４，２５に沿って引き裂くことにより、開梱された包装箱１を更に平板状とすることができる。これにより、平板状の包装箱１を容易に廃棄処理することができる。
【００３５】
なお、上記本実施形態においては、開梱作業後に、図４（ｂ）に仮想線示するように、第２側片２６，２７と天板９との境界の折目線２４，２５に沿って引き裂く作業を行ったが、材料の段ボール板紙２が比較的厚手である場合等には、図示しないが、前記折目線２４，２５に沿ってミシン目等を形成しておいてもよい。これにより、第２側片２６，２７と天板９との破断が容易に行え、開梱された包装箱１を平板状とする作業を容易にすることができる。
【００３６】
次に、本発明の他の実施形態について説明する。本実施形態においては、上記実施形態とは主に天板９と第２側片２６，２７との折目線及び補助破断線が相違し、他の箇所については同様の構成であるので、上記実施形態と同様の構成は同じ符号を付けて詳細な説明は省略する。
【００３７】
本実施形態における包装箱１ａでは、図５及び図６に示すように、補助破断線３０ｂが、天板９上において折目線２４ａと２５ａとの間に、破断線３０と平行に形成されている。天板９と第２側片２６との折目線は、破断線３０と補助破断線３０ｂとの間に形成されている切れ目線３２ａを除いてミシン目によって形成されており、破断可能な折目線２４ａとなっている。また、天板９と第２側片２７との折目線は、破断線３０と補助破断線３０ｂとの間に形成されている残存部３２ｂを除いてミシン目により形成されて破断可能な折目線２５ａとなっている。尚、破断線３０は上記実施形態と同様に、前記天板９と両第２側片２６，２７とに連続して、両第２側片２６，２７の各先端縁の略中央部分を結ぶように形成されている。
【００３８】
本実施形態においては、上記実施形態と同様に破断線３０をすべて破断することにより開梱作業を終了させることもできるが、その一部を開梱することにより、収納物の一部のみを取り出し、残りの収納物を包装箱１ａ内に収納した状態で保管することができる。以下に、本実施形態の包装箱１ａにおいて一部を開梱する作業について説明する。
【００３９】
本実施形態の包装箱１ａを開梱するときは、図５を参照して、前記切れ目線３２ａに手指等を挿入し、それによって形成された破断開始片３１ａを摘んで前記破断線３０及び前記補助破断線３０ｂに沿って天板９を破断する。この破断線３０と補助破断線３０ｂとを破断すると、両破断線３０，３０ｂは平行に延びているので、図７（ａ）に示すように、この両破断線３０，３０ｂに挟まれた部分は帯状の破断片３３ａとなる。この破断片３３ａの終端部は、切れ目線や破断線が入っていない残存部３２ｂであり、補助破断片３０ｂは折目線２５ａまでしか形成されていないため、破断線３０も他方の第２側片２７までは破断されない。従って、破断片３３ａは包装箱１ａと一体となった状態となる。次に、この状態でミシン目により破断可能とされている折目線２４ａ，２５ａを破断して天板９を起立させる。これにより、包装箱１ａに収納されている図示しない収納物を上方に取り出すことができる。一方、この状態で、天板９を閉じると共に破断片３３ａを元に戻し、図示しない粘着テープ等でこの破断片３３ａを天板９に固定することにより、再度内容物を梱包することができる。
【００４０】
また、図７（ｂ）に示すように、一方の第２側片２６に設けられている破断線３０を破断して第２側片２６を分離すると、前記第１側片１２は第２側片２６や各耳片１８，２０には接着されていないので、第１側片１２の上縁部を第２側片２６と各耳片１８，２０との間から抜き出すことが容易となる。そして、第１側片１２を底板に対して平坦に倒し、第２側片２６と耳片１８，２０とを水平に開く。これにより、天板９が開梱されている場合は、包装箱１ａの上面と側面とが開放されることになるので、図示しない収納物の取り出しが容易となる。一方、この状態で、第２側片２６と耳片１８，２０とを閉じて第１側片１２の上縁部を第２側片２６と各耳片１８，２０との間に挿入し、天板９を閉じて前記破断線３０と前記補助破断線３０ｂとに挟まれた部分を元に戻すことにより、再度内容物を梱包することができる。
【００４１】
天板９及び第２側片２６と耳片１８，２０とが開梱された状態で収納物をすべて取り出した後に包装箱１ａを廃棄する場合は、他方の第２側片２７に設けられている破断線３０を破断して第２側片２７を分離する。これにより、前後側板５，７及び一対の第１側片１２，１３が底板に対して平坦に倒れて平板状となる。従って、包装箱１ａをそのまま嵩張ることなく廃棄することが可能となる。このとき、破断片３３ａは包装箱１ａと一体となっているので、細かい屑を生じさせることなく廃棄することが可能となる。
【００４２】
なお、上記実施形態においては、第１側片１２，１３に突片２２，２３を設けて、該突片２２，２３を第２側片２６，２７と各耳片１８，１９，２０，２１との間に挟み込むように構成たものを示したが、それ以外に、例えば図示しないが、第１側片１２，１３に突片２２，２３を設けることなく第１側片１２，１３の高さ寸法を僅かに大とし、第１側片１２，１３の上縁部を全長に亘って第２側片２６，２７と各耳片１８，１９，２０，２１との間に挟み込ませてもよい。
【００４３】
また、上記実施形態における前記突片２２，２３の長さ（第１側片１２，１３の上縁に沿った方向の長さ）は、長く形成するほど前記突片２２，２３の両側における第２側片２６，２７と各耳片１８，１９，２０，２１との重合面積が小さくなるが、そのぶん第２側片２６，２７と各耳片１８，１９，２０，２１との間に挟み込む突片２２，２３の形状が大となるので第１側片１２，１３の固定力が高くなる。一方、前記突片２２，２３の長さを短く形成するほど第２側片２６，２７と各耳片１８，１９，２０，２１との間に挟み込む突片２２，２３の形状が小となるが、前記突片２２，２３の両側における第２側片２６，２７と各耳片１８，１９，２０，２１との重合面積が大きくなるので、より高い接着強度を得ることができる。このため、前記突片２２，２３の長さは、第１側片１２，１３の固定力を十分に維持でき、且つ十分な接着強度が得られる長さにすることが好ましい。
【図面の簡単な説明】
【図１】  本発明の本実施形態の包装箱の組み立て状態を示す説明的斜視図。
【図２】  本実施形態の包装箱の展開図。
【図３】  本実施形態の包装箱の組立工程の一部を示す説明図。
【図４】  本実施形態の包装箱の開梱工程を示す説明図。
【図５】  本発明の他の実施形態の包装箱の組み立て状態を示す説明的斜視図。
【図６】  他の実施形態の包装箱の展開図。
【図７】  他の実施形態の包装箱の開梱工程を示す説明図。
【図８】  （ａ）は従来の包装箱を示す説明的斜視図、（ｂ）は（ａ）の組み立て工程の一部を示す説明的斜視図。
【図９】  従来の包装箱の開梱工程を示す説明図。
【符号の説明】
１…包装箱、３…底板、５…前側板（側板）、７…後側板（側板）、９…天板、１２，１３…第１側片、１８，１９，２０，２１…耳片、２２，２３…突片、２６，２７…第２側片、２８…接着片、３０…破断線、Ｗ…接着剤。
【図１】
0004297551.tif 000002
【図２】
0004297551.tif 000003
【図３】
0004297551.tif 000004
【図４】
0004297551.tif 000005
【図５】
0004297551.tif 000006
【図６】
0004297551.tif 000007
【図７】
0004297551.tif 000008
【図８】
0004297551.tif 000009
【図９】
0004297551.tif 000010